(57)【要約】【課題】  自動精米設備において、精米利用者が持参した穀粒について穀粒量を把握していなくても所望の穀粒量を選択して精米するようにし、利用者の利便性の向上させる。【解決手段】  利用者の持込み穀粒を投入する原料投入ホッパ（１）と、持込み穀粒を精米する精米機（７）と、穀粒の利用内容を設定する操作盤（２１）と、精米利用料金を投入する料金投入口（２４ａ）付きのコインメック（２４）とを備えた自動精米設備であって、操作盤（２１）には精米利用料金と精米利用料金に対応する穀粒処理量を表示する表示部と、前記穀粒処理量を選択する穀粒処理量選択手段（ＳＷ１）を設け、穀粒処理量選択手段（ＳＷ１）で選択した穀粒処理量に対応する精米運転時間を設定し精米運転を開始し精米処理するコントローラ（３１）を設ける。【選択図】図７
2014004532.tif 000002
【特許請求の範囲】
【請求項１】
利用者の持込み穀粒を投入する原料投入ホッパ（１）と、該持込み穀粒を精米する精米機（７）と、穀粒の精米利用内容を設定する操作盤（２１）と、精米利用料金を投入する料金投入口（２４ａ）付きのコインメック（２４）とを備えた自動精米設備であって、
前記操作盤（２１）には精米利用料金と精米利用料金に対応する穀粒処理量を表示する表示部（２１ａ）と、前記穀粒処理量を選択する穀粒処理量選択手段（ＳＷ１）を設け、前記穀粒処理量選択手段（ＳＷ１）で選択した穀粒処理量に対応する精米運転時間を設定し精米運転を開始し精米処理するコントローラ（３１）を設けたことを特徴とする自動精米設備。
【請求項２】
請求項１の発明において、前記操作盤（２１）の表示部（２１ａ）には複数の穀粒処理量表示欄（２１ｂ）とそれに対応する精米利用料金を表示した精米利用料金表示欄（２１ｃ）を設け、該複数の穀粒処理量表示欄（２１ｂ）にそれぞれタッチ式のパネルスイッチを設けて穀粒処理量を設定したり、又は、複数の穀粒処理量表示欄（２１ｂ）の近傍に穀粒処理量選択スイッチ（ＳＷ１）を設け、該穀粒処理量選択スイッチ（ＳＷ１）を操作することにより穀粒処理量表示欄（２１ｂ）の複数の穀粒処理量を順次変更しながら設定するコントローラ（３１）を設けたことを特徴とする自動精米設備。
【請求項３】
請求項２の発明において、
前記操作盤（２１）の前記タッチ式のパネルスイッチ又は穀粒処理量選択スイッチ（ＳＷ１）により穀粒処理量を設定するにあたり、投入した精米利用料金の限度でのみ穀粒処理量を選択設定するコントローラ（３１）を設けたことを特徴とする自動精米設備。
【請求項４】
請求項１乃至請求項３のいずれかの発明において、前記コインメック（２４）への精米利用料金の投入、及び、前記原料投入ホッパ（１）への穀粒の投入がなされると、前記穀粒処理量選択スイッチ（ＳＷ１）による穀粒処理量の選択がなされなくても暫定精米運転を開始し、その後に前記穀粒処理量選択スイッチ（ＳＷ１）による穀粒処理量の選択がなされると、穀粒処理量選択スイッチ（ＳＷ１）の当該選択穀粒処理量に基づき設定された精米運転時間から前記暫定精米運転で既に実行された精米運転時間を減算した残存精米運転時間により精米運転を実行するコントローラ（３１）を設けたことを特徴とする自動精米設備。
【請求項５】
自動精米設備。請求項１乃至請求項４のいずれかの発明において、前記原料投入ホッパ（１）に穀粒投入の有無を検出する穀粒有無検出センサ（ＳＥ２）を設け、前記穀粒処理量選択スイッチ（ＳＷ１）の選択操作で精米運転を開始した場合に当該精米運転の終了後に前記穀粒有無検出センサ（ＳＥ２）が残存穀粒有り検出をした場合には、原料投入ホッパ（１）に残留穀粒があることを報知するコントローラ（３１）を設けたことを特徴とする自動精米設備。
【発明の詳細な説明】
【技術分野】
【０００１】
本発明は、自動精米設備に関する。
【背景技術】
【０００２】
自動精米設備において、原料投入ホッパに受入れ玄米を計量する計量器と、精白度を調節する精白度調節器と、前記計量器による計量と精白度調節器による設定精白度による精米料金を算出表示する演算回路と表示回路を備えたものは、公知である（特許文献１）。
【０００３】
玄米販売設備において、品種の異なる複数の玄米貯溜タンクから指定品種、指定重量を購入者が設定指定し、次いで、料金を投入してブレンド精米を行なう際に、指定重量に見合う料金が投入されていないときには、指定重量を単価重量単位で減量し投入料金に見合う重量に減算処理し精米するものは、公知である（特許文献２）。
【先行技術文献】
【特許文献】
【０００４】
【特許文献１】特開昭６０−１７９４５２号公報
【特許文献２】特開平６−１９０２９４号公報
【発明の概要】
【発明が解決しようとする課題】
【０００５】
特許文献１の技術は、自動精米設備に高価な計量器を設ける必要が有りコスト高となる問題点がある。また、特許文献２の技術は、玄米販売設備において販売用玄米を計量器で計量するものである。
【０００６】
本発明は、自動精米設備において精米利用者が持参した穀粒量を把握していない場合でも、利用者が所望の穀粒量が選択設定すると、計量器を用いずに設定された穀粒量の精米をできるようにし、利用者の利便性の向上を図ろうとするものである。
【課題を解決するための手段】
【０００７】
本発明は前記課題を解決するために次のような技術的手段を講じた。
請求項１の発明は、利用者の持込み穀粒を投入する原料投入ホッパ（１）と、該持込み穀粒を精米する精米機（７）と、穀粒の精米利用内容を設定する操作盤（２１）と、精米利用料金を投入する料金投入口（２４ａ）付きのコインメック（２４）とを備えた自動精米設備であって、
前記操作盤（２１）には精米利用料金と精米利用料金に対応する穀粒処理量を表示する表示部（２１ａ）と、前記穀粒処理量を選択する穀粒処理量選択手段（ＳＷ１）を設け、前記穀粒処理量選択手段（ＳＷ１）で選択した穀粒処理量に対応する精米運転時間を設定し精米運転を開始し精米処理するコントローラ（３１）を設けたことを特徴とする。
【０００８】
請求項２の発明は、請求項１の発明において、前記操作盤（２１）の表示部（２１ａ）には複数の穀粒処理量表示欄（２１ｂ）とそれに対応する精米利用料金を表示した精米利用料金表示欄（２１ｃ）を設け、
該複数の穀粒処理量表示欄（２１ｂ）にそれぞれタッチ式のパネルスイッチを設けて穀粒処理量を設定したり、又は、複数の穀粒処理量表示欄（２１ｂ）の近傍に穀粒処理量選択スイッチ（ＳＷ１）を設け、該穀粒処理量選択スイッチ（ＳＷ１）を操作することにより穀粒処理量表示欄（２１ｂ）の複数の穀粒処理量を順次変更しながら設定するコントローラ（３１）を設けたことを特徴とする。
【０００９】
請求項３の発明は、請求項２の発明において、
前記操作盤（２１）の前記タッチ式のパネルスイッチ又は穀粒処理量選択スイッチ（ＳＷ１）により穀粒処理量を設定するにあたり、投入した精米利用料金の限度でのみ穀粒処理量を選択設定するコントローラ（３１）を設けたことを特徴とする。
【００１０】
請求項４の発明は、請求項１乃至請求項３のいずれかの発明において、
前記コインメック（２４）への精米利用料金の投入、及び、前記原料投入ホッパ（１）への穀粒の投入がなされると、前記穀粒処理量選択スイッチ（ＳＷ１）による穀粒処理量の選択がなされなくても暫定精米運転を開始し、その後に前記穀粒処理量選択スイッチ（ＳＷ１）による穀粒処理量の選択がなされると、穀粒処理量選択スイッチ（ＳＷ１）の当該選択穀粒処理量に基づき設定された精米運転時間から前記暫定精米運転で既に実行された精米運転時間を減算した残存精米運転時間により精米運転を実行するコントローラ（３１）を設けたことを特徴とする。
【００１１】
請求項５の発明は、請求項１乃至請求項４のいずれかの発明において、
前記原料投入ホッパ（１）に穀粒投入の有無を検出する穀粒有無検出センサ（ＳＥ２）を設け、前記穀粒処理量選択スイッチ（ＳＷ１）の選択操作で精米運転を開始した場合に当該精米運転の終了後に前記穀粒有無検出センサ（ＳＥ２）が残存穀粒有り検出をした場合には、原料投入ホッパ（１）に残留穀粒があることを報知するコントローラ（３１）を設けたことを特徴とする。
【発明の効果】
【００１２】
請求項１の発明によると、利用者の持込み穀粒を投入する原料投入ホッパ（１）と、該持込み穀粒を精米する精米機（７）と、穀粒の精米利用内容を設定する操作盤（２１）と、精米利用料金を投入する料金投入口（２４ａ）付きのコインメック（２４）とを備えた自動精米設備であって、操作盤（２１）には精米利用料金と精米利用料金に対応する穀粒処理量を表示する表示部（２１ａ）と、前記穀粒処理量を選択する穀粒処理量選択手段（ＳＷ１）を設け、穀粒処理量選択手段（ＳＷ１）で選択した穀粒処理量に対応する精米運転時間を設定し精米運転を開始し精米処理するコントローラ（３１）を設けたので、利用者が持参した穀粒量を把握していなくても所望の穀粒を精米処理することができる。
【００１３】
請求項２の発明によると、請求項１の発明の前記効果に加えて、操作盤（２１）の表示部（２１ａ）には複数の穀粒処理量表示欄（２１ｂ）とそれに対応する精米利用料金を表示した精米利用料金表示欄（２１ｃ）を設け、複数の穀粒処理量表示欄（２１ｂ）にそれぞれタッチパネル式のスイッチを設けて穀粒処理量を設定したり、又は、複数の穀粒処理量表示欄（２１ｂ）の近傍に穀粒処理量選択スイッチ（ＳＷ１）を設け、穀粒処理量選択スイッチ（ＳＷ１）を操作することにより穀粒処理量表示欄（２１ｂ）の複数の穀粒処理量を順次変更しながら設定するコントローラ（３１）を設けたので、利用者が所望の穀粒処理量を容易に選択することができる。
【００１４】
請求項３の発明によると、請求項２の発明の前記効果に加えて、操作盤（２１）の前記タッチ式のパネルスイッチ又は穀粒処理量選択スイッチ（ＳＷ１）により穀粒処理量を設定するにあたり、投入した精米利用料金の限度でのみ穀粒処理量を選択設定するコントローラ（３１）を設けたので、利用者は精米処理量を容易に設定できると共に、投入した利用料金以上の穀粒処理量の選択を回避することができ、利用操作を簡単にすることができる。
【００１５】
請求項４の発明によると、請求項１乃至請求項３のいずれかの発明の前記効果に加えて、コインメック（２４）への精米利用料金の投入、及び、原料投入ホッパ（１）への穀粒の投入がなされると、穀粒処理量選択スイッチ（ＳＷ１）による穀粒処理量の選択がなされなくても暫定精米運転を開始し、その後に穀粒処理量選択スイッチ（ＳＷ１）による穀粒処理量の選択がなされると、穀粒処理量選択スイッチ（ＳＷ１）の当該選択穀粒処理量に基づき設定された精米運転時間から前記暫定精米運転で既に実行された精米運転時間を減算した残存精米運転時間により精米運転を実行するコントローラ（３１）を設けたので、精米運転を迅速に開始することができ、利用者の利便性を向上させることができる。
【００１６】
請求項５の発明によると、請求項１乃至請求項４のいずれかの発明の前記効果に加えて、原料投入ホッパ（１）に穀粒投入の有無を検出する穀粒有無検出センサ（ＳＥ２）を設け、穀粒処理量選択スイッチ（ＳＷ１）の選択操作で精米運転を開始した場合に当該精米運転の終了後に穀粒有無検出センサ（ＳＥ２）が残存穀粒有り検出をした場合には、原料投入ホッパ（１）に残留穀粒があることを報知するコントローラ（３１）を設けたので、自動精米設備の利用終了時に原料投入ホッパ（１）の穀粒の残留を防止し、利用者は残留穀粒の持ち帰りか、精米処理の続行を選択することができ、利用者の利便性を高めることができる。
【図面の簡単な説明】
【００１７】
【図１】料金式自動精米設備の工程図。
【図２】料金式自動精米設備の平面図。
【図３】操作盤の正面図。
【図４】操作盤の表示画面を示す図。
【図５】操作盤の表示画面を示す図。
【図６】制御ブロック図。
【図７】フローチャート。
【図８】操作盤の正面図。
【図９】料金式自動籾摺精米設備の工程図。
【発明を実施するための形態】
【００１８】
以下本発明の実施例を図面に基づき説明する。
まず、図１乃至図３に基づき本発明を備えた料金式自動精米設備の全体構成について説明する。
【００１９】
料金式自動精米設備は、図２に示すように建屋Ａ内を仕切り壁２１により客室Ｂと機械室Ｃとに仕切り、機械室Ｃの仕切り壁１１寄りに玄米投入用の原料投入ホッパ１を配設し、原料投入ホッパ１の上手側を客室Ｂに開口して利用者が玄米を投入できるようにし、原料投入ホッパ１の底部に搬送ラセン２を設け、玄米を機械室Ｃ側の玄米昇降機３に搬送するようにしている。
【００２０】
また、機械室Ｃ内には、精米作業工程順に玄米昇降機３、石抜き機４、藁屑類や大きなごみを除去する異物除去装置５、精米昇降機６、精米機７、白米取出ホッパ８、精米機７の糠を吸引除去する糠吸引ファン９を配設している。白米取出ホッパ８を仕切り壁１１寄りに配設し、客室Ｂ側から白米取出手段（図示省略）を開閉操作し、白米取出ホッパ８に貯溜されている白米を取り出し可能に構成している。
【００２１】
前記精米設備によると、原料投入ホッパ１に投入された玄米は搬送ラセン２により搬送されて玄米昇降機３の下部に供給され、玄米昇降機３で揚穀されて石抜き機４に送られ石などの異物が除去される。次いで、玄米は異物除去装置５に送られて藁屑類や大きいごみが除去され精米昇降機６に送られ、次いで、精米機７に供給されて精米され、白米は白米取出ホッパ８に取り出される。
【００２２】
次に、図３に基づき操作盤２１について説明する。
仕切り壁１１には客室Ｂから操作できる操作盤２１を設けている。仕切り壁１１の操作盤２１の上方には作業手順表示部２２を設け、操作順序である（１）「お金を入れる」、（２）「玄米（籾）を入れる」、（３）「選択ボタンを押す」、（４）「白米を取り出す」と表示している。
【００２３】
操作盤２１の表示画面には穀粒処理量選択スイッチＳＷ１を設けている。この穀粒処理量選択スイッチＳＷ１は例えば図４のように構成されている。表示画面２１ａには精米利用穀粒量欄２１ｂ、精米種類を表示する普通精米金額欄２１ｃ、無洗米精米金額欄２１ｄからなる利用表示表２１ｅが設けられている。この精米利用穀粒量表示欄２１ｂには、「１０ｋｇまで、２０ｋｇまで、３０ｋｇまで、４０ｋｇの数量表示区分がなされていて、この数量表示区分に対応して、普通精米金額欄２１ｃには「１００円、２００円、３００円、４００円」とそれぞれ表示され、また、無洗米精米料金欄２１ｄには「１００円、２００円、３００円、４００円」とそれぞれ表示されている。
【００２４】
そして、利用表示表２１ｅの利用穀粒量表示欄２１ｂの「１０ｋｇまで」、「２０ｋｇまで」、「３０ｋｇまで」、「４０ｋｇ」の数量表示区分の左側に利用量選択スイッチである１０ｋｇ選択スイッチＳＷ１ａ、２０ｋｇ選択スイッチＳＷ１ｂ、３０ｋｇ選択スイッチＳＷ１ｃ、４０ｋｇ選択スイッチＳＷ１ｄをそれぞれ設けている。例えば、２０ｋｇ選択スイッチＳＷ１ｂが選択操作されると、表示画面２１ａの利用穀粒量表示欄２１ｂの「２０ｋｇまで」の該当している表示が反転点灯するように構成されている。
【００２５】
表示画面２１ａの利用表示表２１ｅの下側には精米種類選択スイッチＳＷ２である無洗米選択スイッチＳＷ２ａ、上白選択スイッチＳＷ２ｂ、標準選択スイッチＳＷ２ｃ、８ぶ選択スイッチＳＷ２ｄ、５ぶ選択スイッチＳＷ２ｅ、３ぶ選択スイッチＳＷ２ｆ、１ぶ選択スイッチＳＷ２ｇを設けている。
【００２６】
次に、図５に基づき穀粒処理量選択スイッチＳＷ１の他の実施例について説明する。
前記実施例と同様に、表示画面２１ａには利用選択表示欄２１ｆ、利用穀粒量２１ｂ、精米種類を表示する普通精米金額２１ｃ、無洗米精米金額２１ｄの表示されている利用表示表２１ｅが設けられていて、利用穀粒量表示欄２１ｂには穀粒重量が記載され、普通精米金額表示欄２１ｃ及び無洗米精米料金２１ｄには該当する利用料金が前記と同様に表示されている。
【００２７】
そして、利用表示表２１ｅの利用穀選択表示欄２１ｆの左側には単一の利用量選択スイッチＳＷ１ｍを設け、利用選択スイッチＳＷ１ｍのＯＮ操作毎に利用選択表示欄２１ｆの選択マーク２１ｆａが順次移動し選択利用穀粒量を表示するようにしている。
【００２８】
操作盤２１の下方には料金投入用のコインメック２４を設けている。コインメック２４にはコインセンサＳＥ１を設け、コインメック２４のコイン投入口２４ａからコインが投入されると、コインセンサＳＥ１がコインの種類及び投入枚数を検出し表示するようにしている。
【００２９】
次に、図６に基づき制御ブロック構成について説明する。
コントローラ３１の入力側には、各種スイッチ及びセンサを接続している。すなわち、穀粒処理量選択スイッチＳＷ１、精米種類選択スイッチＳＷ２（無洗米選択スイッチＳＷ２ａ、上白選択スイッチＳＷ２ｂ、標準選択スイッチＳＷ２ｃ、８ぶ選択スイッチＳＷ２ｄ、５ぶ選択スイッチＳＷ２ｅ、３ぶ選択スイッチＳＷ２ｆ、１ぶ選択スイッチＳＷ２ｇ）、穀粒戻しスイッチＳＷ３、及び、コインセンサＳＥ１、穀粒投入有無センサＳＥ２を入力インターフェイスを経由で接続している。
【００３０】
また、コントローラ３１の出力側には、駆動回路、駆動手段を経由して原料投入ホッパ１の搬送ラセン２、玄米昇降機３、石抜き機４、精米昇降機６、精米機７、無洗米処理手段（図示省略）、糠吸引ファン９、報知手段３３を接続している。
【００３１】
次に、図７のフローチャートに基づきコントローラ３１の精米制御内容について説明する。
精米料金が投入され、玄米が原料投入ホッパ１に投入され（ステップＳ１）、精米種類選択スイッチＳＷ２の操作により精白度の選択がなされると（ステップＳ２）、次いで、穀粒処理量選択スイッチＳＷ１の操作により穀粒処理量の選択がなされたか否かの判定がなされる（ステップＳ３）。Ｙｅｓであると、コントローラ３１の精米指令により精米運転が開始される。即ち、投入精米料金、精白度の種類及び選択穀粒処理量に基づき精米運転時間が設定され、各作業部（搬送ラセン２、玄米昇降機３、石抜き機４、異物除去装置５、精米昇降機６、精米機７、の運転が開始され、順次運転時間の減算処理がされながら精米運転が実行される（ステップＳ４）。
【００３２】
次いで、選択した穀粒処理量分の精米運転時間が終了したか否かの判定がなされ（ステップＳ５）、Ｙｅｓであると、精米終了処理工程に移行し、所定時間にわたり各作業部の運転を継続し残留穀粒の処理排出がなされる（ステップＳ６）。次いで、精米運転が停止され（ステップＳ７）、次いで、原料投入ホッパ１に穀粒が残留しているか否かを判定し（ステップＳ８）、Ｎｏであると、ステップＳ１に戻り、Ｙｅｓであると、報知手段３３により「原料投入ホッパ１に残留穀粒有り」の報知がなされ（ステップＳ９）、ステップＳ１に戻る。なお、報知手段３３の報知は例えば音声で報知されたり、あるいは、操作盤２１の標示部２１ａに文字により表示する。
【００３３】
また、穀粒処理量選択スイッチＳＷ１による穀粒処理量の選択がなされたか否かの判定がなされて（ステップＳ３）、Ｎｏであると、コントローラ３１の暫定精米指令に基づき暫定精米運転が開始される（ステップＳ１０）。即ち、投入精米料金及び精白度の種類に基づき所定の暫定精米運転時間が設定され、各作業部（搬送ラセン２、玄米昇降機３、石抜き機４、異物除去装置５、精米昇降機６、精米機７）の運転が開始され、精米運転時間の減算処理がされながら暫定精米運転が実行される（ステップＳ１０）。
【００３４】
次いで、所定時間内に穀粒処理量選択スイッチＳＷ１による穀粒処理量の選択がされたか否かの判定がなされ（ステップＳ１１）、Ｙｅｓであると、選択された穀粒処理量に応じた精米運転時間及び前記暫定精米運転時間の実行済み時間から残存精米運転時間を演算し残存精米運転を実行する（ステップＳ１２）。次いで、前記ステップＳ５に移行し、精米運転を継続する。前記暫定精米運転の実行により、利用者が持込み穀粒量がわからない場合にも、必要量だけを指定し精米することができる。
【００３５】
また、Ｎｏであると、穀粒投入有無センサＳＥ２により原料投入ホッパ１の穀粒無し検出をしたか否かを判定し（ステップＳ１３）、Ｎｏであると、投入利用料金分の精米運転時間が終了したか否かの判定をする（ステップＳ１４）。Ｎｏであると、前記ステップＳ１３に戻り、Ｙｅｓであると、前記ステップＳ７に移行する。
【００３６】
また、Ｙｅｓであると、精米終了処理工程に移行し、所定時間にわたり作業部の運転を継続し残留穀粒を処理排出し（ステップＳ１５）、次いで、精米運転を停止し（ステップＳ１６）、ステップＳ１に戻る。
【００３７】
次に、図１乃至図３に基づき前記自動精米設備における原料投入ホッパ１の未処理穀粒の客室Ｂ側への戻し構成について説明する。
玄米昇降機３の揚穀取出部３ａには切換弁３ｂを設け、揚穀取出部３ａの下手側には穀粒戻し通路１３を設け、切換弁３ｂにより揚穀穀粒を石抜き機４に切り替えたり、あるいは、穀粒戻し通路１３側に切り替え、穀粒戻し口１３ａから客室Ｂ側へ穀粒を戻すように構成している。そして、穀粒戻しスイッチＳＷ３をＯＮすると、切換駆動手段（図示省略）を介して切換弁３ｂを穀粒戻し通路１３側に切り替え、穀粒戻し口１３ａから客室Ｂ側へ穀粒を取り出すことができる。
【００３８】
また、前記自動精米設備において、穀粒処理量選択スイッチＳＷ１をＯＮし穀粒処理量を選択した場合に、精米投入利用料金が選択穀粒処理量以上の利用料金を投入している場合にだけ前記精米種類選択スイッチＳＷ２を操作可能になるように構成してもよい。このようにすると、投入利用料金以上の精米をすることがなく、利用者の利便性を向上させることができる。
追加記載検討
次に、図８に基づき操作盤２１の他の実施例について説明する。
【００３９】
操作盤２１の表示画面２１ａの利用表示表の下側には精米種類選択スイッチＳＷ２（無洗米選択スイッチＳＷ２ａ、上白選択スイッチＳＷ２ｂ、標準選択スイッチＳＷ２ｃ、８ぶ選択スイッチＳＷ２ｄ、５ぶ選択スイッチＳＷ２ｅ、３ぶ選択スイッチＳＷ２ｆ、１ぶ選択スイッチＳＷ２ｇ）を設け、これらのスイッチに表示ランプＬ，…をそれぞれ設け、選択されたスイッチの表示ランプＬが例えば点灯し選択スイッチが明確になるようにしている。
【００４０】
そして、自動精米設備における原料投入ホッパ１、玄米昇降機３、石抜き機４、異物除去装置５、精米昇降機６、精米機７、無洗米処理手段（図示省略）に穀粒の残留の有無を検出する残留穀粒有無センサ（図示省略）をそれぞれ設け、自動精米設備が故障した場合には、前記表示ランプＬ，…を故障表示手段として活用するようにしている。
【００４１】
無洗米選択スイッチＳＷ２ａの表示ランプＬを原料投入ホッパ１の残留穀粒有りの故障表示に割り当て、上白選択スイッチＳＷ２ｂの表示ランプＬを玄米昇降機３の残留穀粒表示に、標準選択スイッチＳＷ２ｃの表示ランプＬを石抜き機４の残留穀粒表示に、８ぶ選択スイッチＳＷ２ｄの表示ランプＬを異物除去装置５の残留穀粒表示に、５ぶ選択スイッチＳＷ２ｅの表示ランプＬを精米昇降機６の残留穀粒表示に、３ぶ選択スイッチＳＷ２ｆの表示ランプＬを精米機７の残留穀粒表示に、１ぶ選択スイッチＳＷ２ｇの表示ランプＬを無洗米処理手段（図示省略）の残留穀粒表示に故障表示にそれぞれ割り当てるようにしている。
【００４２】
そして、例えば、各作業部のすべてに穀粒が残留していない場合には、図８（Ｂ）に示すように、コントローラ３１の残留穀粒無し故障表示指令に基づき全表示ランプＬ，…を点滅し、残留穀粒無しの故障状態であることを表示する。また、例えば、精米機７にだけに残留穀粒があり他の作業部には残留穀粒なしの場合には、図８（ｃ）に示すように、標準選択スイッチＳＷ２ｃの表示ランプＬのみを消灯し、他のスイッチのランプＬ，…を点滅し、残留穀粒の有無を明確にして故障表示をするようにしている。
【００４３】
前記構成により、作業部の故障箇所が残留穀粒の有無を分かりやすくしながら表示することができ、メンテナンス作業を効率化することができる。
次に、図９に基づき料金式自動籾摺設備について説明する。
【００４４】
料金式自動籾摺設備は、建屋Ａ内を仕切り壁２１により客室Ｂと機械室Ｃとに仕切り、機械室Ｃの仕切り壁１１寄りに籾投入用の原料投入ホッパ４１を配設し、原料投入ホッパ４１の上手側を客室Ｂに開口し利用者が籾を投入できるようにし、原料投入ホッパ４１の底部に搬送ラセン４２を設け、籾を機械室Ｃ側に搬送するようにしている。
【００４５】
また、機械室Ｃ内には、籾摺精米作業工程順に籾昇降機４３、籾摺機４４、石抜き機４、精米昇降機６、精米機７、白米取出ホッパ８、精米機７の糠を吸引除去する糠吸引ファン９を配設している。白米取出ホッパ８を機械室Ｃの仕切り壁１１寄りに配設し、客室Ｂ側から白米取出手段（図示省略）を開閉操作し、白米取出ホッパ８に貯溜されている白米を取り出すことができる。
【００４６】
前記籾摺精米設備によると、原料投入ホッパ４１に投入された籾は搬送ラセン４２により搬送されて籾昇降機４３の下部に供給され、籾昇降機４３で揚穀され籾摺機４４に送られる。籾摺機４４で籾摺選別された玄米は石抜き機４に送られ石などの異物が除去される。次いで、玄米は精米昇降機６を経由して精米機７に供給され精米され、白米は白米取出ホッパ８に取り出される。
【００４７】
また、自動籾摺精米設備には未処理穀粒である籾を客室Ｂ側に取り出し持ち帰りできるように構成している。すなわち、原料投入ホッパ４１に穀粒投入有無センサＳＥ２を設け、籾昇降機４３の揚穀取出部４３ａには切換弁４３ｂを設け、揚穀取出部４３ａの下手側には穀粒戻し通路１３を設け、切換弁４３ｂにより揚穀穀粒を籾摺機４４側に切り替えたり、あるいは、穀粒戻し通路１３側に切り替え、穀粒戻し口１３ａから客室Ｂ側へ穀粒を戻すように構成している。
【００４８】
そして、穀粒戻しスイッチＳＷ３をＯＮすると、切換駆動手段（図示省略）を介して切換弁４３ｂを穀粒戻し通路１３側に切り替え、穀粒戻し口１３ａから客室Ｂ側へ穀粒を取り出すことができる。
【００４９】
また、操作盤２１には自動精米設備と同様に穀粒処理量選択スイッチＳＷ１、料金投入用のコインメック２４、コインセンサＳＥ１及びコントローラ３１を設けている。そして、籾摺料金が投入され、籾が原料投入ホッパ４１に投入され、穀粒処理量選択スイッチＳＷ１による穀粒処理量の選択がなされると、コントローラ３１の籾摺精米指令により籾摺精米運転が開始される。即ち、投入籾摺精米料金及び選択穀粒処理量に基づき籾摺精米運転時間が設定され、各作業部（搬送ラセン４２、籾昇降機４３、籾摺機４４、石抜き機４、精米昇降機６、精米機７の運転が開始される。
【００５０】
前記構成によると、利用者が持込み籾量がわからない場合にも、必要量だけを指定し籾摺精米することができ、利用者の利便性を向上させることができる。自動籾摺精米設備の利用者は籾を収穫作業用に使用した穀粒袋に収容したままで穀粒を持参することが多く、袋の持参時には籾量を把握していないことが多い。しかし、袋の籾を計量しなくても所望量の籾を籾摺精米することができ、利便性が向上する。
【符号の説明】
【００５１】
１      原料投入ホッパ
７      精米機
２１      操作盤
２４      コインメック
２４ａ    料金投入口
２１ａ    表示部
２１ｂ    穀粒処理量表示欄
２１ｃ    精米利用料金表示欄
３１      コントローラ
Ａ      建屋
Ｂ      客室
Ｃ      機械室
ＳＷ１    穀粒処理量選択手段
ＳＥ２    穀粒有無検出センサ
【図１】
2014004532.tif 000003
【図２】
2014004532.tif 000004
【図３】
2014004532.tif 000005
【図４】
2014004532.tif 000006
【図５】
2014004532.tif 000007
【図６】
2014004532.tif 000008
【図７】
2014004532.tif 000009
【図８】
2014004532.tif 000010
【図９】
2014004532.tif 000011